(57)【要約】【課題】複数のビン類等を寝かせて陳列でき、収納能力が高くてしかもビン類等の出し入れが容易な商品陳列棚を提供すること。【解決手段】ボトルラック１の前面側が開口する側面視略コ字形の左右側板２，４を設けると共に、これら側板２，４の前後方向を向く下腕２ａ，４ａに対して前後方向を向く上腕２ｂ，４ｂを短尺とし、左右側板２，４の下腕２ａ，４ａ間に下棚６を、上腕２ｂ，４ｂ間に上棚８をそれぞれ設け、上棚８を下棚６より後方に配設することで、下棚６のビン類Ｂが上棚８に邪魔されることなく容易に確認できかつ出し入れがし易くなる。【選択図】  図１
2005034330.tif 000002
【特許請求の範囲】
【請求項１】
上下２段の棚にビン類等を前後方向に寝かせて左右方向に並べて陳列する商品陳列棚であって、前面側が開口する側面視略コ字形の左右側板を設けるとともに、該側板の前後方向を向く下腕に対して前後方向を向く上腕を短尺とし、側板の左右下腕間に下棚を、左右上腕間に上棚をそれぞれ設け、前記上棚は前記下棚より後方に配設されていることを特徴とする箱形陳列ボックス。
【請求項２】
前記上下棚は共に後方側が高くなるように傾斜している請求項１に記載の商品陳列棚。
【請求項３】
前記上下腕のうち、少なくとも上腕の前面部に下方が後方となるように傾斜した支持板を取付け、ビン類等の底部を該支持板に支持した請求項１または２に記載の商品陳列棚。
【請求項４】
前記左右側板間に後方に延在する補助棚を設けた請求項１ないし３の何れかに記載の商品陳列棚。
【発明の詳細な説明】
【０００１】
【発明の属する技術分野】
本発明は、上下２段の棚にビン類等（缶類も含む）を前後方向に寝かせて左右方向に並べて陳列する商品陳列棚に関する。
【０００２】
【従来の技術】
従来、ビン類等を寝かせて複数陳列する手段として、例えば特許文献１に記載の「容器収納ラック」が知られている。この容器収納ラックは金属製の線材で形成されたケージ部で構成され、このケージ部は容器を四方から容易に取り出せるように、十字形の中央部材と正方形の周辺部材とから成る容器載置部が垂直に複数段配置されてこれら容器載置部は４本の垂直部材で支持されている。しかしながらこの容器収納ラックは容器の収納本数が増えると、容器載置部を高いところまで形成しなければならず収納能力に限界があった。そこで収納能力を上げるために、比較的長い棚に容器を配設するラックも知られている（特許文献２参照）。
【０００３】
【特許文献１】
特開２０００−２３７００９号公報（段落０００８〜００１０、図１）
【特許文献２】
特許第３０２５２０５号明細書（段落０００２、図４、図５）
【０００４】
【発明が解決しようとする課題】
しかしながらこの特許文献２に記載のものは、収納能力が大きい反面、容器に付けられたラベル等が見づらく容器の確認が困難であるばかりでなく、容器の取り出しも上方の傾斜棚が邪魔して不便であった。
【０００５】
本発明は、このような状況に鑑みてなされたものであり、複数のビン類等を寝かせて陳列でき、収納能力が高くてしかもビン類等の出し入れが容易な商品陳列棚を提供することを目的とするものである。
【０００６】
【課題を解決するための手段】
上記課題を解決するために、本発明の商品陳列棚は、上下２段の棚にビン類等を前後方向に寝かせて左右方向に並べて陳列する商品陳列棚であって、前面側が開口する側面視略コ字形の左右側板を設けるとともに、該側板の前後方向を向く下腕に対して前後方向を向く上腕を短尺とし、側板の左右下腕間に下棚を、左右上腕間に上棚をそれぞれ設け、前記上棚は前記下棚より後方に配設されていることを特徴としている。
この特徴によれば、ビン類等を棚に寝かせて左右方向に並べているので数多く陳列でき、しかも上棚は下棚より後方に配設されているので、下棚のビン類が上棚に邪魔されることなく容易に確認できかつ出し入れがし易い。
【０００７】
本発明の商品陳列棚において、前記上下棚は共に後方側が高くなるように傾斜していることが好ましい。
これによれば、ビン類等が傾斜しているのでビン類等に付けられているラベルがより見やすい。
【０００８】
本発明の商品陳列棚において、前記上下腕のうち、少なくとも上腕の前面部に下方が後方となるように傾斜した支持板を取付け、ビン類等の底部を該支持板に支持することが好ましい。
これによれば、支持板によりビン類の傾斜位置を安定的に保持できる。
【０００９】
本発明の商品陳列棚において、前記左右側板間に後方に延在する補助棚を設けることが好ましい。
これによれば、補助棚にサンプル品やストック品その他必要な小物を置くことができる。
【００１０】
【発明の実施形態】
図１は本発明の一実施形態に係り複数のワインボトル等のビン類を前後方向に寝かせて左右方向に並べて陳列した商品陳列棚の斜視図であり、図２は空の商品陳列棚の斜視図である。
【００１１】
図１および図２に示される商品陳列棚としてのボトルラック１は、複数のワインボトル等のビン類を寝かせた状態で左右方向に並べて陳列するように構成されたラックであって、前面側が開口する側面視略コ字形に形成された左右側板２，４と、この左右側板２，４の下方に前後方向を向くように形成された下腕２ａ，４ａ間に取付けられた下棚６と、左右側板２，４の上方に前後方向を向くように下腕２ａ，４ａより短尺に形成された上腕２ｂ，４ｂ間に取付けられた上棚８とから成り、それぞれの各構成部材は木製の部材により構成されているが、木製のみに限定されるものではない。
【００１２】
詳しくは、下棚６は、水平面に対して例えば３０度の傾斜で後方側が高くなるように傾斜し、下棚６の前端上面にはビン類Ｂ等の底部を支持する支持板１０の下端がこの下棚６上面に対し直交して固定されると共に、支持板１０の上端は下腕２ａ，４ａの前端間に垂直に固定された前面板１２の上部内側面に当接している。
【００１３】
上棚８は、下棚６より後方に配設されており、水平面に対して例えば３５度の傾斜で後方側が高くなるように傾斜し、上棚８の下端は上腕２ｂ，４ｂ間に固定された支持板１４の内側面に直交するように固定され、支持板１４の内側面によって上棚８に載置されるビン類Ｂ等の底部を支持するように構成されている。
【００１４】
そこで、次に上記のように構成されたボトルラック１は、下棚６及び上棚８上に複数のワインボトル等のビン類Ｂを寝かせた状態で左右方向に並べて２段積みで載置され、後方側が高くなる傾斜角度（３０度及び３５度）で陳列される。
【００１５】
従って、上記のように構成された商品陳列棚によれば、ビン類Ｂ等を下棚６及び上棚８上に寝かせて左右方向に並べることで数多く陳列することができ、しかも上棚８は下棚６より後方に配設されているので、下棚６のビン類Ｂが上棚８に邪魔されることなく容易に確認できかつ出し入れがし易くなる。
【００１６】
また、下棚６及び上棚８は、共に後方側が高くなる傾斜によってビン類Ｂ等が傾斜しているのでビン類Ｂ等に付けられているラベルがより見易い状態となる。
【００１７】
更に、上腕２ｂ，４ｂ及び下腕２ａ，４ａのうち、少なくとも上腕２ｂ，４ｂの前面部に下方が後方となるように傾斜した支持板１４を取付け、この支持板１４によってビン類Ｂ等の底部が支持されるので、ビン類Ｂの傾斜位置を安定的に保持することができる。
【００１８】
次に、図３は他の実施形態に係る商品陳列棚であって、（ａ）は商品陳列棚の正面図、（ｂ）は（ａ）のＡ−Ａ断面図である。尚、上記実施形態と同一構成に付いては同一符号を付して重複する説明を省略する。
【００１９】
本実施形態に係る商品陳列棚としてのボトルラック１６は、前述した実施形態に係る上棚８の後方に補助棚を設けた構成が相違しており、詳しくは、前面側が開口する側面視略コ字形に形成され前後に延設するように構成された左右側板１８，２０の下腕１８ａ，２０ａ間に取付けられた下棚６と、前記左右側板１８，２０の上方に前後方向を向くように下腕１８ａ，２０ａより短尺に形成された上腕１８ｂ，２０ｂ間に取付けられた上棚８とから構成されている。
【００２０】
そして、上棚８後方の下部には左右側板１８，２０間に後方に延在する補助棚２２が水平に取付けられ、その後端部位には左右側板１８，２０の上端まで延びる垂直な背面板２４が固定されている。この背面板２４は背の高いビン類の転倒防止板として機能するが、水平の補助棚２２だけであってもよい。
【００２１】
従って、上棚８後方の補助棚２２には、サンプル品やストック品その他必要な小物類を適宜置くことができる。尚、前述した下棚６及び上棚８に寝かせた状態で左右方向に並べて２段積みで載置した複数のワインボトル等のビン類Ｂ間には、適宜仕切板を介装することもでき、これによってビン類Ｂが少なくなった場合に積上げられたビン類Ｂの崩れや転がりを防止することができる。
【００２２】
【発明の効果】
本発明は以下の効果を奏する。
【００２３】
（ａ）請求項１項の発明によれば、ビン類等を棚に寝かせて左右方向に並べているので数多く陳列でき、しかも上棚は下棚より後方に配設されているので、下棚のビン類が上棚に邪魔されることなく容易に確認できかつ出し入れがし易い。
【００２４】
（ｂ）請求項２項の発明によれば、ビン類等が傾斜しているのでビン類等に付けられているラベルがより見やすい。
【００２５】
（ｃ）請求項３項の発明によれば、支持板によりビン類の傾斜位置を安定的に保持できる。
【００２６】
（ｄ）請求項４項の発明によれば、補助棚にサンプル品やストック品その他必要な小物を置くことができる。
【図面の簡単な説明】
【図１】本発明の一実施形態に係り複数のワインボトル等のビン類を前後方向に寝かせて左右方向に並べて陳列した商品陳列棚の斜視図である。
【図２】ビン類を前後方向に寝かせて左右方向に並べて陳列する空の商品陳列棚の斜視図である。
【図３】他の実施形態に係る商品陳列棚であって、（ａ）は商品陳列棚の正面図、（ｂ）は（ａ）のＡ−Ａ断面図である。
【符号の説明】
１                      ボトルラック（商品陳列棚）
２，４                  左右側板
２ａ，４ａ              下腕
２ｂ，４ｂ              上腕
６                      下棚
８                      上棚
１０                    支持板
１２                    前面板
１４                    支持板
１６                    ボトルラック（商品陳列棚）
１８ａ，２０ａ          下腕
１８ｂ，２０ｂ          上腕
１８，２０              左右側板
２２                    補助棚
２４                    背面板
Ｂ                      ビン類
【図１】
2005034330.tif 000003
【図２】
2005034330.tif 000004
【図３】
2005034330.tif 000005